(57)【要約】【課題】間仕切パネルに対する設置が容易な移動間仕切装置の側部閉塞装置を提供する。【解決手段】天井部Ｃに架設されたレール３と、レール３に移動が案内される間仕切パネル２，２，…，２’と、を備える移動間仕切装置１の側部閉塞装置４であって、側部閉塞装置４は、間仕切パネル２，２，…，２’の側端部２ｂ’に向かって進退自在な側部閉塞部材４０と、側部閉塞部材４０を支持するベース体４９と、を備え、ベース体４９は、レール３に移動が案内される上ローラ３４ａ，下ローラ３４ｂを有し、レール３（天井部）及び床部Ｆに固定されている。【選択図】図１０
2018071127.tif 000002
【特許請求の範囲】
【請求項１】
天井部に架設されたレールと、該レールに移動が案内される間仕切パネルと、を備える移動間仕切装置の側部閉塞装置であって、
前記側部閉塞装置は、前記間仕切パネルの側端部に向かって進退自在な側部閉塞部材と、該側部閉塞部材を支持するベース体と、を備え、
前記ベース体は、前記レールに移動が案内される案内部を有し、躯体に固定されている
ことを特徴とする移動間仕切装置の側部閉塞装置。
【請求項２】
前記側部閉塞部材は、前記レールに移動が案内される案内部を有していることを特徴とする請求項１に記載の移動間仕切装置の側部閉塞装置。
【請求項３】
前記案内部は、ローラであり、
前記ローラは、前記レールに吊支されていることを特徴とする請求項１または２に記載の移動間仕切装置の側部閉塞装置。
【請求項４】
前記ベース体は、躯体の天井部、床部、壁部の少なくとも１つに固定されていることを特徴とする請求項１ないし３のいずれかに記載の移動間仕切装置の側部閉塞装置。
【請求項５】
前記側部閉塞装置は、前記レールに吊支された状態で壁の内部に配設されており、
前記レールは、壁の内部に延設されていることを特徴とする請求項１ないし４のいずれかに記載の移動間仕切装置の側部閉塞装置。
【請求項６】
前記側部閉塞装置は、上下方向への動きを略水平方向への動きに変換するリンク部材を備え、
前記リンク部材は、前記ベース体と、前記閉塞部材とを連結していることを特徴とする請求項１ないし５のいずれかに記載の移動間仕切装置の側部閉塞装置。
【発明の詳細な説明】
【技術分野】
【０００１】
本発明は、本発明は、オフィス、大会場、会議室等を所定の区画に仕切って使用するための移動間仕切装置の側部閉塞装置に関する。
【背景技術】
【０００２】
一般に移動間仕切装置は、天井に設けられたレールに吊支された間仕切パネルを連接してオフィス、大会場、会議室等の部屋を所定の区画に仕切る用途で利用されている。このような移動間仕切装置にあっては、壁部に隙間を閉塞する側部閉塞部材を突出自在に駆動させる進退機構を有する側部閉塞機構を設け、この側部閉塞部材を間仕切パネルの側端部に対して圧接させることで間仕切パネルの側部の隙間を閉塞できるようにしたものが知られている。
【０００３】
特許文献１に示される、移動間仕切装置は、天井に架設されたレールと、レールに沿って移動する間仕切パネルと、間仕切パネルと壁の隙間を床から天井にかけて閉塞する側部閉塞部材と、側部閉塞部材を進退自在に駆動させる進退機構と、を備える移動間仕切装置の側部閉塞機構であって、側部閉塞機構は、壁内に埋設又は壁面に立設される略パネル状に構成された装置本体に収容されている。また、側部閉塞部材は、装置本体内より進退自在となっている。
【先行技術文献】
【特許文献】
【０００４】
【特許文献１】特開平８−９３３５０号公報（第４頁、第１図）
【発明の概要】
【発明が解決しようとする課題】
【０００５】
しかしながら、特許文献１にあっては、側部閉塞機構により間仕切りパネルとの間を閉塞するためには、間仕切パネルに対する側部閉塞部材の進退方向や間仕切りパネルの厚み方向の位置を正確に合わせる必要があった。そのためには、進退移動される側部閉塞部材を支持する側部閉塞装置の固定側の装置本体（ベース体）を正確に位置決めして設置する必要があった。さらに、装置本体は縦方向に長尺であるため、壁内に埋設又は壁面に立設させ建物躯体に固定する必要がある。これらの事情から、装置本体の設置作業は煩雑かつ難しかった。そして、側部閉塞機構と間仕切パネルとの設置位置が不正確であると、間仕切パネルに対する側部閉塞機構の進行方向がずれ、側部閉塞機構と間仕切パネルとの間の閉塞性が不十分となる虞があった。
【０００６】
本発明は、このような問題点に着目してなされたもので、間仕切パネルに対する設置が容易な移動間仕切装置の側部閉塞装置を提供することを目的とする。
【課題を解決するための手段】
【０００７】
前記課題を解決するために、本発明の移動間仕切装置の側部閉塞装置は、
天井部に架設されたレールと、該レールに移動が案内される間仕切パネルと、を備える移動間仕切装置の側部閉塞装置であって、
前記側部閉塞装置は、前記間仕切パネルの側端部に向かって進退自在な側部閉塞部材と、該側部閉塞部材を支持するベース体と、を備え、
前記ベース体は、前記レールに移動が案内される案内部を有し、躯体に固定されていることを特徴としている。
この特徴によれば、間仕切パネルが沿って移動するレールと同一のレールに案内してベース体の設置位置を決められるため、間仕切パネルに対する側部閉塞装置の設置が容易となる。
【０００８】
前記側部閉塞部材は、前記レールに移動が案内される案内部を有していることを特徴としている。
この特徴によれば、レールに吊支され固定されたベース体を起点としてレールに案内されて側部閉塞部材が移動すると共に、間仕切パネルも同一のレールに沿って移動するため、側部閉塞装置と隣接する間仕切パネルの端部との位置合わせが正確となる。
【０００９】
前記案内部は、ローラであり、
前記ローラは、前記レールに吊支されていることを特徴としている。
この特徴によれば、ベース体は、ローラによりレールに沿って進退方向に移動することができるため、細やかなベース体の位置合わせを行うことができる。
【００１０】
前記ベース体は、躯体の天井部、床部、壁部の少なくとも１つに固定されていることを特徴としている。
この特徴によれば、ベース体を上下に固定することから、強固に固定することができる。
【００１１】
前記側部閉塞装置は、前記レールに吊支された状態で壁の内部に配設されており、
前記レールは、壁の内部に延設されていることを特徴としている。
この特徴によれば、室内に側部閉塞装置が露出しないため、美観を高めることができる。
【００１２】
前記側部閉塞装置は、上下方向への動きを略水平方向への動きに変換するリンク部材を備え、
前記リンク部材は、前記ベース体と、前記閉塞部材とを連結していることを特徴としている。
この特徴によれば、リンク部材により側部閉塞装置をコンパクトにすることができる。
【図面の簡単な説明】
【００１３】
【図１】移動間仕切パネル装置の設置例を示す斜視図である。
【図２】（ａ）は、収納状態の最後尾の間仕切パネルを示す正面図であり、（ｂ）は、閉塞が完了した状態の最後尾の間仕切パネルを示す正面図である。
【図３】側部閉塞装置の構造を示す説明図である。
【図４】（ａ）は側部閉塞装置の上部塞ぎ部材の収納状態を示す概略図、（ｂ）は側部閉塞装置の上部塞ぎ部材の閉塞状態を示す概略図である。
【図５】（ａ）は側部閉塞装置の上部塞ぎ部材の収納状態を示す側断面図、（ｂ）は側部閉塞装置の上部塞ぎ部材の閉塞状態を示す側断面図である。
【図６】（ａ）は側部閉塞装置の下部塞ぎ部材の収納状態を示す概略図、（ｂ）は側部閉塞装置の下部塞ぎ部材の閉塞状態を示す概略図である。
【図７】（ａ）は側部閉塞装置の下部塞ぎ部材の収納状態を示す側断面図、（ｂ）は側部閉塞装置の下部塞ぎ部材の閉塞状態を示す側断面図である。
【図８】図３の状態から側部閉塞部材を進行させ閉塞が完了した状態を示す説明図である。
【図９】移動間仕切パネル装置により部屋を仕切った状態を示す概略図である。
【図１０】側部閉塞装置の設置位置を説明する図であり、図３の位置から側部閉塞装置を移動させた状態を示す説明図である。
【発明を実施するための形態】
【００１４】
本発明に係る間仕切パネル装置を実施するための形態を実施例に基づいて以下に説明する。
【実施例】
【００１５】
実施例に係る間仕切パネル装置につき、図１から図１０を参照して説明する。以下、図９の紙面手前側を間仕切パネル装置の正面側（前方側）とし、図９の紙面奥側を間仕切パネル装置の背面側（後方側）とし、その前方側から見たときの上下左右方向を基準として説明する。
【００１６】
本実施例の間仕切パネル装置１は、例えば、オフィス、展示会場、会議室等の室内空間を区画するために設置され、図１に示されるように、室内空間に天井部Ｃ（躯体）に亘って設置されるレール３（天井部）に沿って移動可能な吊支部材３４，３４により上端を吊支される複数の間仕切パネル２，２，…と、最後尾の間仕切パネル２’の側部２ｂ’（図２（ａ）参照）と側壁Ｗとの隙間を閉塞する側部閉塞部材４０を該間仕切パネル２’に対して進退自在な側部閉塞装置４と、から主に構成され、レール３の一方の端部に設けられる格納レール３１の位置に格納された間仕切パネル２，２，…をレール３に沿って側壁Ｗ’に設けられる移動規制端部５の方向に所定の位置まで手動で順次移動させることによって、間仕切パネル２，２，…を一列に連接させて天井部Ｃから床部Ｆ（躯体）に亘って室内空間を仕切ることができるようになっている。
【００１７】
尚、移動規制端部５とは、間仕切パネル装置１を構成する間仕切パネル２，２，…の内、先頭に設置される間仕切パネル２が当接し、先頭の間仕切パネル２の移動を規制する端部を構成する所定の側壁部や支柱等のことである。
【００１８】
また、間仕切パネル装置１を構成する間仕切パネル２，２，…の内、最後尾の間仕切パネル２’は、側壁Ｗに設けられる側部閉塞装置４から左右方向に進出退入可能に移動する側部閉塞部材４０によって間仕切パネル２’の側部２ｂ’と側部閉塞装置４との隙間が閉塞されるようになっている。尚、間仕切パネル２’の側部２ｂ’と側部閉塞装置４との隙間が側部閉塞部材４０により閉塞される際に、側部閉塞部材４０によって間仕切パネル２’が移動規制端部５の方向に押圧されることにより、一列に連接された間仕切パネル２，２，…，２’がそれぞれ移動規制端部５の方向に押圧され、隣接する間仕切パネル２，２，…，２’同士を密着させて遮音性や遮蔽性が高められるようになっている。
【００１９】
次いで、側部閉塞装置４の構造について図３を用いて説明する。側部閉塞装置４は、レール３に沿って移動可能な吊支部材３４により吊支される側部閉塞部材４０と、レール３に対し吊支部材３４により吊支されレール３及び床部Ｆに固定されるベース体４９と、側部閉塞部材４０を左右方向に動作させる進退機構５０と、から主に構成されており、側壁Ｗに対して所定の奥行きを形成するように上下方向に亘って凹設された空間Ｘ内に収納（配設）されており、該空間Ｘ内から室内に向けて側部閉塞部材４０が進退可能となっている。また、天井部Ｃに設置されるレール３の端部は、側壁Ｗ内の空間Ｘの内側に入り込むように延設されている。これによれば、室内空間を仕切らない場合には、側部閉塞装置４が室内に露出しないため、美観を高めることができるとともに、側部閉塞装置４が通行の邪魔になることがない。
【００２０】
ベース体４９は、金属製であり、押出し成形により断面視ロ字状の柱状に形成されているため、剛性を有している。また、ベース体４９は、ベース体４９の上端部とレール３が、断面視Ｌ字状の取付金具４９ａと複数のボルトナットにより固定されている。同様に、ベース体４９の長尺方向の略中央部と壁部Ｙ（躯体）及びベース体４９の下端部と床部Ｆとが固定されている。このように、ベース体４９は、建物を構成する強度の高い天井部Ｃ、壁部Ｙ及び床部Ｆに強固に固定されるため、側部閉塞部材４０を安定して進退移動させることができる。尚、ベース体４９は、天井部Ｃ、壁部Ｙ及び床部Ｆの３箇所に固定されることに限られず、それらの１か所にだけ固定されていてもよく、建物を構成する強度の高い躯体であれば、例えば、柱等に固定されてもよい。さらに尚、取付金具４９ａは、ベース体４９に溶接により固定されていてもよい。
【００２１】
図３及び図５に示されるように、吊支部材３４は、上下一対の上ローラ３４ａ（案内部），下ローラ３４ｂ（案内部）と、側部閉塞部材４０及びベース体４９の上端から上方に延設され上ローラ３４ａ，下ローラ３４ｂを回転自在に支持する吊支杆３４ｃと、から主に構成されている。これら上ローラ３４ａ，下ローラ３４ｂがレール３に形成された後述する上下一対の走行部３ａ，３ｂにそれぞれに支持されることで側部閉塞部材４０及びベース体４９が吊持されている。
【００２２】
レール３は、吊支杆３４ｃの軸心周りに回動する上ローラ３４ａ及び下ローラ３４ｂを遊嵌可能に開口した上下一対の上部走行部３ａと下部走行部３ｂとが長手方向に向けて形成されている。
【００２３】
上部走行部３ａの両脇底部のうち、一方には下方に傾斜した上部傾斜底部３０ａが形成され、他方には上部略水平底部３１ａが形成されており、上部傾斜底部３０ａの上面には、上ローラ３４ａの下端縁３５ａが接しており、上部略水平底部３１ａには、上ローラ３４ａが接触しない。
【００２４】
下部走行部３ｂの両脇底部のうち、一方には下方に傾斜した下部傾斜底部３０ｂが形成されており、他方には下部略水平底部３１ｂが形成されており、下部傾斜底部３０ｂの上面には、下ローラ３４ｂの下端縁３５ｂが接しており、下部略水平底部３１ｂには、下ローラ３４ｂが接触しない。
【００２５】
このように、上ローラ３４ａは上部傾斜底部３０ａの上面に接しており、下ローラ３４ｂは下部傾斜底部３０ｂの上面に接しているため、側部閉塞部材４０又はベース体４９を移動させた場合、上ローラ３４ａと下ローラ３４ｂは、互いに逆方向に回動することになるので、両傾斜底部３０ａ，３０ｂにより左右方向位置が安定して支持される。
【００２６】
図３に示されるように、側部閉塞部材４０は、正面視コ字形状の枠体４１と、枠体４１の両側面に取付けられる化粧パネル４２，４２と、から主に構成されている。枠体４１における上部横杆部材４１ｂは、上方向に開口する上向きコ字状を成し、枠体４１における下部横杆部材４１ｃは、下方向に開口する下向きコ字状を成している（特に図５参照）。また、化粧パネル４２，４２は、その上端部が上部横杆部材４１ｂよりも上方に張り出すように取付けられており、下端部が下部横杆部材４１ｃよりも下方に張り出すように取付けられている。
【００２７】
また、枠体４１における縦杆部材４１ａは、最後尾の間仕切パネル２’側の端部に該間仕切パネル２’側に突設される図示しない凸条部が上下方向に亘って形成されている。また、最後尾の間仕切パネル２’における前記凸条部と対向する面には、該凸条部が嵌入可能な図示しない凹条部が形成されている。尚、凸条部及び凹条部には、パッキンが取付けられており、凸条部及び凹条部が嵌合した際には、側部閉塞部材４０と最後尾の間仕切パネル２’との間が上下方向に隙間なく密閉されるようになっている。
【００２８】
また、側部閉塞装置４は、側部閉塞部材４０の上端部４０ｂに備え付けられた上部塞ぎ部材６と、側部閉塞部材４０の下端部４０ｃに備え付けられた下部塞ぎ部材７と、を備えている。
【００２９】
図４及び図５に示されるように、上部塞ぎ部材６は、金属製であり、略板状の側壁部６ｂ、側壁部６ｃ、下壁部６ｅにより上向きコ字状に形成されており、下壁部６ｅのベース体４９側には、長手方向に一部切り欠かれた切欠部６ｄが形成されている。また、上部塞ぎ部材６には、側部閉塞装置４のリンク部材６０と、ねじりばね６５が取付けられている。
【００３０】
側部閉塞装置４のリンク部材６０は、一端にリンク部材６０の長手方向に形成された長孔６０ａと、他端に形成された丸孔６０ｂを有している。また、ねじりばね６５は、環状のばね部分を有し、ばね部分から略ハ字状に延びる両端部が後述する軸６１ａ，６１ｂが挿通可能な環状を成すように曲げ形成されている。
【００３１】
また、上部塞ぎ部材６の側壁部６ｂ，６ｃには、軸６１ａが互いを連結するように固定されており、該軸６１ａに長孔６０ａが挿通されることにより側部閉塞装置４のリンク部材６０の一端が上部塞ぎ部材６に連結されている。また、上部横杆部材４１ｂの側壁部４６ｂ，４６ｃには、軸６１ｂが互いを連結するように固定されており、該軸６１ｂに丸孔６０ｂが挿通されることにより上部横杆部材４１ｂに連結されている。すなわち、リンク部材６０は、切欠部６ｄを介して一端が上部塞ぎ部材６に連結され、他端が上部横杆部材４１ｂ（側部閉塞部材４０）に連結されている。
【００３２】
これにより、上部塞ぎ部材６は、上部横杆部材４１ｂと化粧パネル４２，４２とで形成された凹部４３内に収納される収納状態（図４（ａ）及び図５（ａ）の状態）において、上部塞ぎ部材６の移動規制端部５側の端部６ａが間仕切パネル２’側から反力を受けることにより、後退するように上方向に回動し、レール３に押圧されることで、側部閉塞部材４０の上端部４０ｂと天井部Ｃとの間の隙間を閉塞する閉塞状態（図４（ｂ）及び図５（ｂ）の状態）に変化することができる。尚、上部塞ぎ部材６の側壁部６ｂ，６ｃの上端辺には、パッキン６３，６３が取付けられており、これにより、閉塞状態において上部塞ぎ部材６と天井部Ｃとの間を隙間なく密閉することができる。さらに尚、上部塞ぎ部材６の側壁部６ｂ，６ｃの上端辺の間には、板材６ｆが取り付けられており、これにより、上部塞ぎ部材６内にチリやホコリ等の侵入を防いでいる。
【００３３】
また、軸６１ａ，６１ｂは、側部閉塞装置４のリンク部材６０の長孔６０ａ、丸孔６０ｂと共に、ねじりばね６５の環状に形成された両端にもそれぞれが挿通されており、ベース体４９側にねじりばね６５の環状のばね部分が位置するようにねじりばね６５を固定している。ねじりばね６５は、上部塞ぎ部材６の端部６ａが間仕切パネル２’側から反力を受けることで、側部閉塞部材４０の上端部４０ｂとレール３が当接し、軸６１ａがリンク部材６０の長孔６０ａを軸６１ｂ側に移動すると、ねじりばね６５の両端部が接近するようにねじれが生じることでレール３に対する圧接力が発生し、閉塞状態において上部塞ぎ部材６と天井部Ｃとの間を隙間なく密閉することができる。
【００３４】
尚、上部塞ぎ部材６には、切欠部６ｄが形成されているため、側部閉塞装置４のリンク部材６０及びねじりばね６５を上部塞ぎ部材６の外側に大きく張り出させることなく設置できるようになっている。
【００３５】
また、上部塞ぎ部材６は、枠体４１の幅寸法よりも短尺に形成されており、上部塞ぎ部材６の移動規制端部５側の端部６ａは、側部閉塞装置４のリンク部材６０が凹部４３内に収納されている場合、すなわち上部塞ぎ部材６の端部６ａが間仕切パネル２’側から反力を受けていない場合、枠体４１の縦杆部材４１ａにおける間仕切パネル２’側の端面と略同一面を成すように位置合わせがなされている。さらに、枠体４１の幅寸法よりも短尺に形成されているため、収納状態の際には、側部閉塞部材４０の幅方向内に収納されている。
【００３６】
図６及び図７に示されるように、下部塞ぎ部材７は、金属製であり、略板状の側壁部７ｂ、側壁部７ｃ、上壁部７ｅにより上向きコ字状に形成されており、上壁部７ｅのベース体４９側には、長手方向に一部切り欠かれた切欠部７ｄが形成されている。また、下部塞ぎ部材７は、側部閉塞装置４のリンク部材７０と、ねじりばね７５と、引きばね７６が取り付けられている。
【００３７】
側部閉塞装置４のリンク部材７０は、一端にリンク部材７０の長手方向に形成された長孔７０ａと、他端に形成された丸孔７０ｂを有している。また、ねじりばね７５は、環状のばね部分を有し、ばね部分より略ハ字状に延びる両端部が後述する軸７１ａ，７１ｂが挿通可能な環状を成すように曲げ形成され、引きばね７６は、長尺の円筒形状に形成された螺旋状のばね部分を有し、ばね部分の両端部が軸７１ａ，７１ｂが挿通可能な環状を成すように曲げ形成されている。
【００３８】
また、下部塞ぎ部材７の側壁部７ｂ，７ｃには、軸７１ａが互いを連結するように固定されており、該軸７１ａに長孔７０ａが挿通されることにより側部閉塞装置４のリンク部材７０の一端が下部塞ぎ部材７に連結されている。また、下部横杆部材４１ｃの側壁部４７ｂ，４７ｃには、軸７１ｂが互いを連結するように固定されており、該軸７１ｂに丸孔７０ｂが挿通されることにより下部横杆部材４１ｃに連結されている。すなわち、リンク部材７０は、切欠部７ｄを介して一端が下部塞ぎ部材７に連結され、他端が下部横杆部材４１ｃ（側部閉塞部材４０）に連結されている。
【００３９】
これにより、下部塞ぎ部材７は、下部横杆部材４１ｃと化粧パネル４２，４２とで形成された凹部４３’内に収納される収納状態（図６（ａ）及び図７（ａ）の状態）において、下部塞ぎ部材７の移動規制端部５側の端部７ａが間仕切パネル２’側から反力を受けることにより、後退するように下方向に回動し、床部Ｆに押圧されることで、側部閉塞部材４０の下端部４０ｃと床部Ｆとの間の隙間を閉塞する閉塞状態（図６（ｂ）及び図７（ｂ）の状態）に変化することができる。尚、下部塞ぎ部材７の側壁部７ｂ，７ｃの下端辺には、パッキン７３，７３が取付けられており、これにより、閉塞状態において下部塞ぎ部材７と床部Ｆとの間を隙間なく密閉することができる。さらに尚、下部塞ぎ部材７の側壁部７ｂ，７ｃの下端辺の間には、板材７ｆが取り付けられており、これにより、下部塞ぎ部材７内にチリやホコリ等の侵入を防いでいる。
【００４０】
また、軸７１ａ，７１ｂは、側部閉塞装置４のリンク部材７０の長孔７０ａ、丸孔７０ｂと共に、ねじりばね７５の環状に形成された両端にもそれぞれが挿通されており、ベース体４９側にねじりばね７５の環状のばね部分が位置するようにねじりばね７５を固定している。ねじりばね７５は、下部塞ぎ部材７の端部７ａが間仕切パネル２’側から反力を受けることで、側部閉塞部材４０の下端部４０ｃと床部Ｆが当接し、軸７１ａがリンク部材７０の長孔７０ａを軸７１ｂ側に移動すると、ねじりばね７５の両端部が接近するようにねじれが生じることで床部Ｆに対する圧接力が発生し、閉塞状態において下部塞ぎ部材７と床部Ｆとの間を隙間なく密閉することができる。
【００４１】
引きばね７６の環状に形成された一端は、軸７１ｃが挿通され、下部塞ぎ部材７の側壁部７ｂ，７ｃに連結されており、引きばね７６の環状に形成された他端は、軸７１ｄが挿通され、下部横杆部材４１ｃの側壁部４７ｂ，４７ｃに連結されている。
【００４２】
また、引きばね７６は、側部閉塞装置４のリンク部材７０に作用して、リンク部材７０を収納する方向に付勢する付勢手段として機能している。すなわち、引きばね７６は、リンク部材７０を収納状態とすることで、リンク部材７０に連結された下部塞ぎ部材７を収納状態とすることができる。このとき、引きばね７６は、下部塞ぎ部材７を間仕切パネル２’方向に引き上げるように付勢している。下部塞ぎ部材７は、引きばね７６の付勢により、重力により降下することなく凹部４３’内に収納されている。
【００４３】
このように、上部塞ぎ部材６及び下部塞ぎ部材７を動作させる構造を側部閉塞装置４のリンク部材６０，７０、ねじりばね６５，７５及び引きばね７６といった単純な構造とすることができるため、電動機を用いた駆動機構等に比べて動作不良が起こりにくく、且つ安価に構成することができる。
【００４４】
尚、下部塞ぎ部材７には、切欠部７ｄが形成されているため、側部閉塞装置４のリンク部材７０、ねじりばね７５及び引きばね７６を下部塞ぎ部材７の外側に大きく張り出させることなく設置できるようになっている。
【００４５】
また、下部塞ぎ部材７は、枠体４１の幅寸法よりも短尺に形成されており、下部塞ぎ部材７の移動規制端部５側の端部７ａは、ねじりばね７５により側部閉塞装置４のリンク部材７０が収納されている場合、すなわち下部塞ぎ部材７の端部７ａが間仕切パネル２’側から反力を受けていない場合、枠体４１の縦杆部材４１ａにおける間仕切パネル２’側の端面と略同一面を成すように位置合わせがなされている。さらに、枠体４１の幅寸法よりも短尺に形成されているため、収納状態の際には、側部閉塞部材４０の幅方向内に収納されている。
【００４６】
このように、上部塞ぎ部材６及び下部塞ぎ部材７の収納状態において、側部閉塞部材４０の幅方向内に収納され、側部閉塞部材４０から幅方向に突出しないため、側部閉塞装置４の幅方向の寸法を小さくできる。
【００４７】
図３に示されるように、進退機構５０は、横向きｙ字状のリンク部５１，５１と、上下に延びるボールねじ５２と、ボールねじ５２の回動により上下方向に移動するロッド５３と、から構成されており、リンク部５１は、長尺部材である第１部材５１ａ（リンク部材）と、短尺部材である第２部材５１ｂ（リンク部材）と、から形成されており、第１部材５１ａの長尺方向の略中央に第２部材５１ｂの他端が回動可能に取付けられている。尚、ボールねじ５２は、直交方向（左右方向）に延びる他のボールねじに連動するように連結されており、該他のボールねじを操作する操作部５４（図１参照）は、外部から操作可能に側壁Ｗに配設されている。
【００４８】
また、第１部材５１ａは、その一端がロッド５３に取付けられ、他端が側部閉塞部材４０の縦杆部材４１ａにそれぞれ回動可能に取付けられており、第２部材５１ｂにおける第１部材５１ａに取付けられていない一端が、第１部材５１ａの一端よりも下方にてベース体４９に回動可能に取付けられている。
【００４９】
操作部５４に図示しないハンドルを取付け、該ハンドルを回動操作することにより、ロッド５３が上下に移動する。図８に示されるように、ロッド５３が下方に移動すると、第１部材５１ａの一端が第２部材５１ｂの一端に近接し、第１部材５１ａの他端が間仕切パネル２’方向に移動し、側部閉塞部材４０を間仕切パネル２’側に進出動作させるようになっている。
【００５０】
また、図３に示されるように、ロッド５３が上方に移動すると、第１部材５１ａの一端が第２部材５１ｂの一端から離間し、第１部材５１ａの他端が間仕切パネル２’側と反対方向に移動するため、側部閉塞部材４０を間仕切パネル２’とは反対側に後退動作させるようになっている。
【００５１】
このように、リンク部５１，５１がロッド５３の上下方向の動きを略水平方向に変換するため、側部閉塞装置４の幅方向の寸法をコンパクトにでき、空間Ｘ内への収納容積を小さくすることができる。尚、上部塞ぎ部材６及び下部塞ぎ部材７は、間仕切パネル２’側から反力を受けるまでは収納状態となっており、天井部Ｃ及び床部Ｆと当接しないため、側部閉塞部材４０の移動をスムーズに行うことができる。
【００５２】
図９に示されるように、間仕切パネル２は、パネル材２０ａ，２０ａを表裏に備えたパネル本体２０と、パネル本体２０と天井部Ｃとの隙間を塞ぐ上部塞ぎ部材２６と、パネル本体２０と床部Ｆとの隙間を塞ぐ下部塞ぎ部材２７が設けられている。これら上部塞ぎ部材２６の端部２６ａ及び下部塞ぎ部材２７の端部２７ａは、間仕切パネル２が移動可能な吊支状態において、間仕切位置への進行方向（移動規制端部５側）に向かって突出されている（図１等参照）。尚、パネル本体２０、上部塞ぎ部材２６及び下部塞ぎ部材２７は、それぞれ幅寸法Ｌ１に形成されている。
【００５３】
また、最後尾の間仕切パネル２’は、パネル本体２０の幅寸法Ｌ１よりも長尺の幅寸法Ｌ２に形成された上部塞ぎ部材２６’及び下部塞ぎ部材２７’を備えており、上部塞ぎ部材２６’の端部２６ａ’及び下部塞ぎ部材２７’の端部２７ａ’は、間仕切パネル２’が移動可能な吊支状態において、詳しくは図２（ａ）に示されるように、間仕切位置への進行方向（移動規制端部５側）に向かって突出されている。
【００５４】
間仕切パネル２，２，…，２’と側部閉塞装置４とにより室内空間を仕切る際には、図１に示されるように、レール３に沿って間仕切パネル２，２，…を移動させる。その後、図３に示されるように、最後尾の間仕切パネル２’を間仕切パネル２，２，…に向けて移動させた後、側部閉塞部材４０を側壁Ｗ内から間仕切パネル２’に向けて進行させる。これにより、最後尾の間仕切パネル２’が間仕切パネル２，２，…，に向けて押しつけられ、図８，９に示されるように、間仕切パネル２，２，…，２’と側部閉塞装置４とにより室内空間が仕切られる。
【００５５】
詳しくは、間仕切パネル２，２，…の上部塞ぎ部材２６の端部２６ａ及び下部塞ぎ部材２７の端部２７ａは、先頭の間仕切パネル２が移動規制端部５に、それ以降の間仕切パネル２，２，…，２’が先行する間仕切パネル２の側端面に当接して、その反力によりパネル本体２０内に押し込まれることにより、上昇または降下させられて、パネル本体２０と天井部Ｃ及び床部Ｆとの隙間を閉塞する。このとき、上部塞ぎ部材２６及び下部塞ぎ部材２７は、パネル本体２０の幅寸法と略同一寸法に形成されているため、間仕切パネル２の両側部は、略同一面を成している。
【００５６】
また、最後尾の間仕切パネル２’の上部塞ぎ部材２６’の端部２６ａ’及び下部塞ぎ部材２７’の端部２７ａ’は、先行する間仕切パネル２の上部塞ぎ部材２６の端部２６ｂ及び下部塞ぎ部材２７の端部２７ｂに当接して、その反力によりパネル本体２０内に押し込まれることにより、上昇または降下させられて、パネル本体２０と天井部Ｃ及び床部Ｆとの間の間隙を閉塞する。このとき、上部塞ぎ部材２６’及び下部塞ぎ部材２７’は、パネル本体２０の幅寸法Ｌ１より長尺である幅寸法Ｌ２に形成されているため、間仕切パネル２’の先行する間仕切パネル２と当接する端部２ａ’は略同一面を成し、上部塞ぎ部材２６’及び下部塞ぎ部材２７’における間仕切パネル２’の側部閉塞装置４側の端部２６ｂ’，２７ｂ’は、パネル本体２０よりも側部閉塞装置４側に突出した状態となる（図２（ｂ）参照）。
【００５７】
図３の状態から、側部閉塞装置４の操作部５４に図示しない操作ハンドルを接続して側部閉塞部材４０を最後尾の間仕切パネル２’側に当接・進行させ、間仕切パネル２’を先行する間仕切パネル２に当接させることで、間仕切パネル２’の上部塞ぎ部材２６’及び下部塞ぎ部材２７’が反力により押し込まれるため、端部２６ｂ’，２７ｂ’が側部閉塞装置４側に突出していく（図２（ａ）の状態から図２（ｂ）の状態へと移行していく）。この操作により、側部閉塞装置４の上部塞ぎ部材６及び下部塞ぎ部材７は、上部塞ぎ部材２６’の端部２６ｂ’及び下部塞ぎ部材２７’の端部２７ｂ’に当接し、その反力により後退するように上方向及び下方向に回動し、側部閉塞部材４０と天井部Ｃ及び床部Ｆとの隙間を閉塞する。これにより、室内空間が上下方向及び左右方向に亘って仕切られる。尚、最後尾の間仕切パネル２’側を先行する間仕切りパネル２に当接させ、最後の間仕切パネル２’の上部塞ぎ部材２６’及び下部塞ぎ部材２７’を側部閉塞装置４側に突出させた状態としておき、この状態から側部閉塞部材４０を移動させて天井部Ｃ及び床部Ｆとの隙間を閉塞するようにしてもよい。
【００５８】
このように、側部閉塞部材４０に隣接する間仕切パネル２’の上部塞ぎ部材２６’及び下部塞ぎ部材２７’は、側部閉塞部材４０を進行させると、側部閉塞部材４０側に突出されるため、側部閉塞部材４０の上部塞ぎ部材６及び下部塞ぎ部材７に対して進行方向の反力が発生し、上部塞ぎ部材６及び下部塞ぎ部材７を後退方向かつ上方向及び後退方向かつ下方向に回動させることができる。
【００５９】
このように、上部塞ぎ部材６を上方に移動させて側部閉塞部材４０と天井部Ｃとの隙間を閉塞させ、下部塞ぎ部材７を下方に移動させて側部閉塞部材４０と床部Ｆとの隙間と閉塞させることができるため、側部閉塞部材４０により間仕切パネル２’と側壁Ｗとの隙間を閉塞したときに光や音の漏れを確実に防止することができる。
【００６０】
また、間仕切パネル２’から受ける反力により、上部塞ぎ部材６及び下部塞ぎ部材７を閉塞動作させるため、側部閉塞部材４０が間仕切パネル２’に当接する前に、上部塞ぎ部材６及び下部塞ぎ部材７が閉塞動作して、側部閉塞部材４０の進行動作を妨げて側部閉塞部材４０と間仕切パネル２’との間に隙間が形成されることを防止できる。
【００６１】
尚、上部塞ぎ部材２６，２６’の進退方向の両端面、下部塞ぎ部材２７，２７’の進退方向の両端面、上部塞ぎ部材６及び下部塞ぎ部材７の進行方向の端面には、図示しないパッキンが取付けられており、上部塞ぎ部材２６，２６’、下部塞ぎ部材２７，２７’、上部塞ぎ部材６及び下部塞ぎ部材７間の隙間が密閉され、遮音性や遮蔽性が高められている。
【００６２】
次に、図１０を参照し、側部閉塞装置４の設置について説明する。従来のように、側壁Ｗ内に側部閉塞部材４０を室内側に突出自在に設ける場合には、間仕切パネル２’に対する側部閉塞部材４０が正確な位置で進退するようにする必要があり、側部閉塞装置４を設置する際の位置合わせ、特に固定側のベース体４９の位置合わせが煩雑であった。
【００６３】
対して、本実施例の側部閉塞装置４は、ベース体４９及び側部閉塞部材４０が一体に組立てられた状態で、それぞれが有する吊支部材３４により略直線状に間仕切パネル２，２，…，２’が移動する同一のレール３に案内されているため、間仕切パネル２，２，…，２’の進退方向の位置合わせが既になされている。これにより、高さ寸法が長尺であるベース体４９を、レール３に沿って移動させるだけで、進退方向における所望の設置位置に容易に位置決めできる。その後、設置位置にて、ベース体４９のその幅方向（紙面左右方向）を進退方向に平行となるように吊支部材３４を支点としてベース体４９を厚み方向に回動させて微調整を行うことができるため、隣接する間仕切パネル２’に対する厚み方向の位置を上下に亘って容易に位置合わせすることができる。
【００６４】
また、進退機構５０は、ベース体４９と側部閉塞部材４０が共に吊支部材３４によりレール３に案内されており、かつ、上述のように正確な位置に設置されたベース体４９を起点として略直線状の往復移動である進退動作を行うものである。これにより、側部閉塞部材４０は、正確に進退動作を行う進退機構５０によって進退し、かつ、レール３に案内されるため、間仕切パネル２，２，…，２’に対して位置がずれることなく正確に進退することができる。すなわち、ベース体４９を正確に取付けることで、高さ寸法が長尺である側部閉塞部材４０も正確に位置合わせがなされた状態で取付けることが可能であるため、側部閉塞部材４０の位置合わせも容易である。
【００６５】
また、側部閉塞装置４は、設置する際に、吊支部材３４のローラ３４ａ，３４ｂを介してレール３に吊支された状態となっているため、移動が容易であり、一方でベース体４９から手を離したとしても転倒することがないため、作業者の負担を減らすことができる。
【００６６】
これらにより、側部閉塞装置４は、側部閉塞部材４０と間仕切パネル２’との間の高い閉塞性を実現しながらも、側部閉塞部材４０の進行方向と間仕切パネル２，２，…，２’の進行方向との位置合わせ作業が極めて簡便である。
【００６７】
尚、側部閉塞装置４は、ベース体４９と側部閉塞部材４０が一体に組立てられた状態で設置される態様であると説明したが、組立前の状態であったとしても、取付寸法等があらかじめ計算されていれば、ベース体４９はレール３に案内されているため、設置位置、吊支部材３４を支点とした傾き、間仕切パネル２，２，…，２’に対する向きを適切に合わせることで容易に設置することができる。同様に、側部閉塞部材４０についても、レール３に吊支させた状態でベース体４９に連結させることができるため、作業員の負担が少ない。よって、側部閉塞装置４は、組立前の状態であっても、設置が簡便である。
【００６８】
さらに前述したように、ベース体４９は、天井部Ｃ及び床部Ｆに対して取付金具４９ａとボルトナットとを用いて固定されており、ベース体４９を天井部Ｃ、壁部Ｙ及び床部Ｆに対して固定された状態と、レール３に沿って移動可能な状態と、に簡便に変更できる。
【００６９】
また、図１０に示されるように、側部閉塞装置４のベース体４９は、レール３に吊支部材３４により吊支されているため、ベース体４９をレール３に沿って移動させ、ベース体４９の設置位置を適宜変更することができる。これによれば、間仕切パネル２，２，…，２’の閉塞時の幅寸法と室内空間の幅寸法との関係性に応じて、ベース体４９を適正な設置位置を移動させて調整することができる。
【００７０】
また、側部閉塞装置４の側部閉塞部材４０は、ベース体４９と同様に吊支部材３４によりレール３に吊支されているため、側部閉塞部材４０の進行方向も間仕切パネル２，２，…，２’の進行方向と位置合わせされるように案内され、側部閉塞部材４０と間仕切パネル２’との間の閉塞性が向上する。
【００７１】
また、ベース体４９は、上ローラ３４ａ及び下ローラ３４ｂによりレール３に吊支されているため、ベース体４９の移動が簡便であるとともに、設置位置の調整を細やかに行うことができる。
【００７２】
以上、本発明の実施例を図面により説明してきたが、具体的な構成はこれら実施例に限られるものではなく、本発明の要旨を逸脱しない範囲における変更や追加があっても本発明に含まれる。
【００７３】
例えば、前記実施例では、上部塞ぎ部材６及び下部塞ぎ部材７が収容状態において側部閉塞部材４０の間仕切パネル２’側の端面と略同一面を成すように位置合わせされた形態について説明したが、上部塞ぎ部材及び下部塞ぎ部材は、進行方向への反力により動作すればよく、例えば、側部閉塞部材４０よりも間仕切パネル２’方向に突出していてもよい。
【００７４】
また、前記実施例では、上部塞ぎ部材６及び下部塞ぎ部材７がリンク部材６０，７０、ねじりばね６５，７５及び引きばね７６により側部閉塞部材４０に取付けられていたが、例えば、上部塞ぎ部材及び下部塞ぎ部材に、通電により上下方向に駆動するアクチュエータを取付け、上部塞ぎ部材及び下部塞ぎ部材が隣接する間仕切パネルに当接した際に、その反力により前記駆動機構のスイッチが入り、上部塞ぎ部材及び下部塞ぎ部材が閉塞動作を行うようにしてもよい。
【００７５】
また、前記実施例では、間仕切パネル２，２，…，２’と側部閉塞装置４とにより室内空間が仕切られる態様について説明したが、先述した態様に限らず、側部閉塞部材４０が間仕切パネル２，２，…，２’を移動規制端部５に押し付け、その反力により上部塞ぎ部材２６，２６，…，２６’、下部塞ぎ部材２７，２７，…，２７’、上部塞ぎ部材６及び下部塞ぎ部材７が一体的に閉塞動作するようになっていてもよい。
【００７６】
また、前記実施例では、間仕切パネル２’において、可動的に設けられた上部塞ぎ部材２６’及び下部塞ぎ部材２７’の側部閉塞部材４０側に突出した部分により、側部閉塞部材４０の上部塞ぎ部材６及び下部塞ぎ部材７に対して進行方向の反力を発生させていたが、例えば、側部閉塞部材４０の上部塞ぎ部材６及び下部塞ぎ部材７に対して進行方向の反力を与える部分を、間仕切パネル２’に側部閉塞部材４０側に突出するように固定的に設置してもよい。
【００７７】
また、前記実施例では、間仕切パネル２’において、上部塞ぎ部材２６’及び下部塞ぎ部材２７’がパネル本体２０の幅寸法よりも長尺に形成された態様として説明したが、これに限らず、間仕切パネル２，２，…の上部塞ぎ部材２６及び下部塞ぎ部材２７と同一であってもよく、この場合、間仕切パネルの上部塞ぎ部材及び下部塞ぎ部材は収納状態においてパネル本体内に収納されており、側部閉塞部材４０の上部塞ぎ部材６及び下部塞ぎ部材７に対して進行方向の反力を与える部分を、移動規制端部５に側部閉塞部材４０側に突出するように固定的に設置することで、間仕切パネルの上部塞ぎ部材及び下部塞ぎ部材がすべてパネル本体の側部閉塞部材４０側に突出する構成であってもよい。
【００７８】
尚、前記実施例では、側部閉塞部材４０がレール３に対して吊支されていたが、側部閉塞部材はレール３に対して吊支されず、ベース体４９に対してのみ支持されていてもよい。
【００７９】
また、前記実施例では、レール３に移動が案内される案内部を上ローラ３４ａ及び下ローラ３４ｂとして説明したが、案内部はレールに案内されるものであればよい。例えば、レールの溝部に対して嵌入される突片等をベース体に設けてもよい。
【００８０】
尚、前記実施例では、進退機構５０は、ロッド５３の上下方向の動きを略水平方向に変換するリンク部５１を備える態様として説明したが、これに限らず、ハンドルの操作によって側部閉塞部材４０が進退可能である進退機構であってもよい。
【００８１】
また、前記実施例では、側部閉塞装置４は、側壁Ｗの後方である空間Ｘ内に収納（配設）されている態様として説明したが、例えばコンクリート壁等に埋設（配設）されていてもよい。
【００８２】
また、前記実施例では、付勢手段は引きばね７６である態様として説明したが、これに限らず、引きばねでなくともよい。また、引きばねは、上部塞ぎ部材６に備えられていてもよい。
【符号の説明】
【００８３】
１                間仕切パネル装置
２，２’          間仕切パネル
２ｂ’            側部
３                レール
４                側部閉塞装置
３４ａ            上ローラ（案内部）
３４ｂ            下ローラ（案内部）
４０              側部閉塞部材
４９              ベース体
５１ａ            第１部材（リンク部材）
５１ｂ            第２部材（リンク部材）
Ｃ                天井部（躯体）
Ｆ                床部（躯体）
Ｙ                壁部（躯体）
Ｗ                側壁（壁）
【図１】
2018071127.tif 000003
【図２】
2018071127.tif 000004
【図３】
2018071127.tif 000005
【図４】
2018071127.tif 000006
【図５】
2018071127.tif 000007
【図６】
2018071127.tif 000008
【図７】
2018071127.tif 000009
【図８】
2018071127.tif 000010
【図９】
2018071127.tif 000011
【図１０】
2018071127.tif 000012